【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
一対の基板間に液晶層を挟持し、透過表示を行う複数のサブ画素と反射表示を行うサブ画素とを有して一つの画素を構成し、前記透過表示を行う複数のサブ画素に対応して各々配置された互いに色の異なる着色層と、前記反射表示を行うサブ画素に対応して配置された反射膜と、を備え、前記反射表示を行う前記サブ画素の前記液晶層の層厚が、前記透過表示を行う前記サブ画素の前記液晶層の層厚よりも小さく設定された液晶装置であって、
前記一つの画素に含まれる前記透過表示を行う全ての複数のサブ画素は、当該一つの画素に含まれる前記反射表示を行うサブ画素と、前記一つの画素に隣接した他の画素に含まれるとともに前記一つの画素に隣接して配置された前記反射表示を行うサブ画素との間に配設されていることを特徴とする液晶装置。
【請求項２】
一対の基板間に液晶層を挟持し、透過表示を行う複数のサブ画素と反射表示を行うサブ画素とを有して一つの画素を構成し、前記透過表示を行う複数のサブ画素に対応して各々配置された互いに色の異なる着色層と、前記反射表示を行うサブ画素に対応して配置された反射膜と、を備え、前記反射表示を行う前記サブ画素の前記液晶層の層厚が、前記透過表示を行う前記サブ画素の前記液晶層の層厚よりも小さく設定された液晶装置であって、
前記透過表示を行う透過モードと前記反射表示を行う反射モードとを切り換え可能とされており、前記透過モードでは前記反射表示を行うサブ画素は非駆動状態とされ、前記反射モードでは前記透過表示を行うサブ画素は非駆動状態とされていることを特徴とする液晶装置。
【請求項３】
前記反射表示を行うサブ画素は、白色又は非着色とされており、前記反射表示を行う反射モードではモノクロ表示を行うことを特徴とする請求項１又は請求項２に記載の液晶装置。
【請求項４】
前記反射表示を行うサブ画素に対応して一色の着色層が配設されており、前記反射表示を行う反射モードではモノカラー表示を行うことを特徴とする請求項１又は請求項２に記載の液晶装置。
【請求項５】
前記各サブ画素への注入電荷量を制御するソースドライバを有し、
前記ソースドライバは、前記透過表示を行う前記サブ画素と前記反射表示を行う前記サブ画素とを駆動する透過反射兼用モードと、前記透過表示を行うサブ画素を駆動する透過モードと、前記反射表示を行うサブ画素を駆動する反射モードと、をそれぞれ個別に選択可能であることを特徴とする請求項１乃至４のいずれか一項に記載の液晶装置。
【請求項６】
前記液晶装置には照明装置が配設されており、前記反射表示を行う反射モードにおいて前記照明装置が消灯されることを特徴とする請求項１乃至５のいずれか一項に記載の液晶装置。
【請求項７】
前記反射表示を行う反射モードにおいて、表示データを更新するリフレッシュレートが他の表示モードよりも低くされていることを特徴とする請求項４又は５に記載の液晶装置。
【請求項８】
請求項１乃至７のいずれか１項に記載の液晶装置を備えることを特徴とする電子機器。
【手続補正２】
【補正対象書類名】明細書
【補正対象項目名】０００６
【補正方法】変更
【補正の内容】
【０００６】
上記の課題を解決するため、本発明の液晶装置は、一対の基板間に液晶層を挟持し、透過表示を行う複数のサブ画素と反射表示を行うサブ画素とを有して一つの画素を構成し、前記透過表示を行う複数のサブ画素に対応して各々配置された互いに色の異なる着色層と、前記反射表示を行うサブ画素に対応して配置された反射膜と、を備え、前記反射表示を行う前記サブ画素の前記液晶層の層厚が、前記透過表示を行う前記サブ画素の前記液晶層の層厚よりも小さく設定された液晶装置であって、前記一つの画素に含まれる前記透過表示を行う全ての複数のサブ画素は、当該一つの画素に含まれる前記反射表示を行うサブ画素と、前記一つの画素に隣接した他の画素に含まれるとともに前記一つの画素に隣接して配置された前記反射表示を行うサブ画素との間に配設されていることを特徴とする。
また、本発明の液晶装置は、一対の基板間に液晶層を挟持し、透過表示を行う複数のサブ画素と反射表示を行うサブ画素とを有して一つの画素を構成し、前記透過表示を行う複数のサブ画素に対応して各々配置された互いに色の異なる着色層と、前記反射表示を行うサブ画素に対応して配置された反射膜と、を備え、前記反射表示を行う前記サブ画素の前記液晶層の層厚が、前記透過表示を行う前記サブ画素の前記液晶層の層厚よりも小さく設定された液晶装置であって、前記透過表示を行う透過モードと前記反射表示を行う反射モードとを切り換え可能とされており、前記透過モードでは前記反射表示を行うサブ画素は非駆動状態とされ、前記反射モードでは前記透過表示を行うサブ画素は非駆動状態とされていることを特徴とする。
【手続補正３】
【補正対象書類名】明細書
【補正対象項目名】０００７
【補正方法】変更
【補正の内容】
【０００７】
このような液晶装置によると、透過表示を行うサブ画素と反射表示を行うサブ画素とをそれぞれ別個に構成しているため、透過と反射の表示を別個に最適条件で行うことが可能となる。また、従来のように透過表示領域と反射表示領域とを同一のサブ画素内に配設する場合とは異なり、各表示領域を別個のサブ画素で構成しているため、当該各表示領域のサブ画素構造を任意に最適化することができ、透過及び反射の各表示についてそれぞれ光学特性の最適化を図ることが可能となる。さらに、各表示領域を別個のサブ画素で構成しているため、透過又は反射のいずれか一方の表示モードの際には、一方の表示領域においてサブ画素を駆動状態とし、他方の表示領域においてサブ画素を非駆動状態とすれば、消費電力の削減を図ることが可能となる。また、透過モードと反射モードの切り換えを各サブ画素の駆動により実現できるため、環境（外光の状態）に応じた透過と反射の表示切換が可能となる。さらに、従来の特許文献１のような構成では、透過表示領域と反射表示領域とが同一のサブ画素内に配置されることで混色の問題が生じたり、透過時に反射の光が視認され又は反射時に透過の光が視認されてコントラストが低下したりする問題があるが、本発明では各表示領域が別個のサブ画素を具備してなるため、そのような問題が悉く解決され、混色防止さらには高コントラストの表示が実現されることとなる。
【手続補正４】
【補正対象書類名】明細書
【補正対象項目名】０００８
【補正方法】変更
【補正の内容】
【０００８】
本発明の液晶装置において前記反射表示を行うサブ画素は、白色又は非着色とされており、前記反射表示を行う反射モードではモノクロ表示を行うことを特徴とする。また、前記反射表示を行うサブ画素に対応して一色の着色層が配設されており、前記反射表示を行う反射モードではモノカラー表示を行うことを特徴とする。一般的に、透過表示ではバックライト（照明装置）を用いて表示を行い、反射表示では外光を用いて表示を行う。したがって、透過表示は反射表示に比して表示特性が高く視認性に優れている。そこで、本発明では、透過表示をフルカラー表示、反射表示をモノカラー表示（単色表示）又はモノクロ表示（白黒表示）として表示の最適化を図っている。具体的には、透過表示領域に、赤色の着色層が形成された赤色サブ画素と、緑色の着色層が形成された緑色サブ画素と、青色の着色層が形成された青色サブ画素とを形成する一方、反射表示領域に、無色透光性の樹脂層が形成されたモノクロサブ画素、又は所定の色の着色層が形成されたモノカラーサブ画素を形成するものとすることができる。